【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
カメラに対して装着可能なアクセサリであって、
前記カメラとの間で行う、データ通信に用いられるデータ通信チャネルと前記データ通信チャネルを介して行う通信のタイミングを通知する通知チャネルとを含むチャネルを用いた通信を制御するアクセサリ制御部を有し、
前記アクセサリ制御部は、
通信相手の指定を伴わずに行われる通信のために用いられる第１通信方式と、前記カメラと指定された通信相手との間で行われる通信のために用いられる第２通信方式と、に切り替え可能であり、
前記カメラからデータを受信している間の前記通知チャネルの電圧レベルは、前記第１通信方式と前記第２通信方式では異なり、
前記通知チャネルの電圧レベルが最後に変化してから所定のインターバル時間が経過した後に、前記データ通信チャネルを介して前記カメラにデータを送信することを特徴とするアクセサリ。
【請求項２】
前記アクセサリ制御部は、前記第１通信方式において、前記通知チャネルの電圧レベルが、前記第２通信方式時にデータを受信している間の電圧レベルから前記第１通信方式時にデータを受信している間の電圧レベルに変化してから、第１インターバル時間が経過した後にデータを送信することを特徴とする請求項１に記載のアクセサリ。
【請求項３】
前記アクセサリ制御部は、前記第２通信方式において、前記通知チャネルの電圧レベルが、前記第１通信方式時にデータを受信している間の電圧レベルから前記第２通信方式時にデータを受信している間の電圧レベルに変化してから、第２インターバル時間が経過した後にデータを送信することを特徴とする請求項１または２に記載のアクセサリ。
【請求項４】
前記アクセサリ制御部は、前記第２通信方式において、前記データ通信チャネルにデータの送信が完了した後、第３インターバル時間が経過した後に前記通知チャネルの電圧を、前記第２通信方式時にデータを受信している間の電圧レベルから前記第１通信方式時にデータを受信している間の電圧レベルに変化させることを特徴とする請求項１から３のいずれか１項に記載のアクセサリ。
【請求項５】
カメラに対して装着可能なアクセサリであって、
前記カメラとの間で行う、データ通信に用いられるデータ通信チャネルと前記データ通信チャネルを介して行う通信のタイミングを通知する通知チャネルとを含むチャネルを用いた通信を制御するアクセサリ制御部を有し、
前記アクセサリ制御部は、
通信相手の指定を伴わずに行われる通信のために用いられる第１通信方式と、前記カメラと指定された通信相手との間で行われる通信のために用いられる第２通信方式と、に切り替え可能であり、
前記カメラからデータを受信している間の前記通知チャネルの電圧レベルは、前記第１通信方式と前記第２通信方式では異なり、
前記第２通信方式において、前記データ通信チャネルにデータの送信が完了した後、所定のインターバル時間が経過した後に前記通知チャネルの電圧を、前記第２通信方式時にデータを受信している間の電圧レベルから前記第１通信方式時にデータを受信している間の電圧レベルに変化させることを特徴とするアクセサリ。
【請求項６】
前記アクセサリ制御部は、前記第１通信方式において、前記通知チャネルの電圧レベルが、前記第２通信方式時にデータを受信している間の電圧レベルから前記第１通信方式時にデータを受信している間の電圧レベルに変化してから、第１インターバル時間が経過した後にデータを送信することを特徴とする請求項５に記載のアクセサリ。
【請求項７】
前記アクセサリ制御部は、前記第２通信方式において、前記通知チャネルの電圧レベルが、前記第１通信方式時にデータを受信している間の電圧レベルから前記第２通信方式時にデータを受信している間の電圧レベルに変化してから、第２インターバル時間が経過した後にデータを送信することを特徴とする請求項５または６に記載のアクセサリ。
【請求項８】
前記所定のインターバル時間は、前記通知チャネルの信号変化時間、カメラまたはアクセサリの発振誤差時間、データ受信処理の送受信切り替え時間およびデータ受信完了後に前記通知チャネルの変化検出を準備するための時間の少なくとも１つに基づいて決定されることを特徴とする請求項１から７のいずれか１項に記載のアクセサリ。
【請求項９】
前記所定のインターバル時間は、前記通知チャネルの電圧レベルの変化時の時定数より長いことを特徴とする請求項１から８のいずれか１項に記載のアクセサリ。
【請求項１０】
前記通知チャネルの電圧レベルが第１レベルから前記第１レベルよりも低い第２レベルに変化した後のデータ送信のための所定のインターバル時間は、前記通知チャネルの電圧レベルが前記第２レベルから前記第１レベルに変化した後のデータ送信のための所定のインターバル時間より短いことを特徴とする請求項１から９のいずれか１項に記載のアクセサリ。
【請求項１１】
アクセサリが装着可能なカメラであって、
前記アクセサリとの間で行う、データ通信に用いられるデータ通信チャネルと前記データ通信チャネルを介して行う通信のタイミングを通知する通知チャネルとを含むチャネルを用いた通信を制御するカメラ制御部を有し、
前記カメラ制御部は、
通信相手の指定を伴わずに行われる通信のために用いられる第１通信方式と、前記カメラと指定された通信相手との間で行われる通信のために用いられる第２通信方式と、に切り替え可能であり、
前記アクセサリが前記カメラからデータを受信している間の前記通知チャネルの電圧レベルは、前記第１通信方式と前記第２通信方式では異なり、
前記通知チャネルの電圧レベルが最後に変化してから所定のインターバル時間が経過した後にデータを送信することを特徴とするカメラ。
【請求項１２】
前記カメラ制御部は、前記第１通信方式において、前記通知チャネルの電圧レベルが、前記第２通信方式時にデータを受信している間の電圧レベルから前記第１通信方式時にデータを受信している間の電圧レベルに変化してから第４インターバル時間が経過した後にデータを送信することを特徴とする請求項１１に記載のカメラ。
【請求項１３】
前記カメラ制御部は、前記第２通信方式において、前記通知チャネルの電圧レベルが、前記第１通信方式時にデータを受信している間の電圧レベルから前記第２通信方式時にデータを受信している間の第２電圧レベルに変化してから第５インターバル時間が経過した後にデータを送信することを特徴とする請求項１１または１２に記載のカメラ。
【請求項１４】
前記カメラ制御部は、前記第２通信方式において、前記データ通信チャネルにデータの送信が完了した後、第６インターバル時間が経過した後に前記通知チャネルの電圧レベルを、前記第２通信方式時にデータを受信している間の電圧レベルから前記第１通信方式時にデータを受信している間の電圧レベルに変化させることを特徴とする請求項１１から１３のいずれか１項に記載のカメラ。
【請求項１５】
アクセサリが装着可能なカメラであって、
前記アクセサリとの間で行う、データ通信に用いられるデータ通信チャネルと前記データ通信チャネルを介して行う通信のタイミングを通知する通知チャネルとを含むチャネルを用いた通信を制御するカメラ制御部を有し、
前記カメラ制御部は、
通信相手の指定を伴わずに行われる通信のために用いられる第１通信方式と、前記カメラと指定された通信相手との間で行われる通信のために用いられる第２通信方式と、に切り替え可能であり、
前記アクセサリが前記カメラからデータを受信している間の前記通知チャネルの電圧レベルは、前記第１通信方式と前記第２通信方式では異なり、
前記第２通信方式において、前記データ通信チャネルにデータの送信が完了した後、所定のインターバル時間が経過した後に通知チャネルの電圧レベルを、前記第２通信方式時にデータを受信している間の電圧レベルから前記第１通信方式時にデータを受信している間の電圧レベルに変化させることを特徴とするカメラ。
【請求項１６】
前記カメラ制御部は、前記第１通信方式において、前記通知チャネルの電圧レベルが、前記第２通信方式時にデータを受信している間の電圧レベルから前記第１通信方式時にデータを受信している間の電圧レベルに変化してから第４インターバル時間が経過した後にデータを送信することを特徴とする請求項１５に記載のカメラ。
【請求項１７】
前記カメラ制御部は、前記第２通信方式において、前記通知チャネルの電圧レベルが、前記第１通信方式時にデータを受信している間の電圧レベルから前記第２通信方式時にデータを受信している間の第２電圧レベルに変化してから第５インターバル時間が経過した後にデータを送信することを特徴とする請求項１５または１６に記載のカメラ。
【請求項１８】
前記所定のインターバル時間は、前記通知チャネルの信号変化時間、カメラまたはアクセサリの発振誤差時間、データ受信処理の送受信切り替え時間およびデータ受信完了後に前記通知チャネルの変化検出を準備するための時間の少なくとも１つに基づいて決定されることを特徴とする請求項１１から１７のいずれか１項に記載のカメラ。
【請求項１９】
前記所定のインターバル時間は、前記通知チャネルの電圧レベルの変化時の時定数より長いことを特徴とする請求項１１から１８のいずれか１項に記載のカメラ。
【請求項２０】
前記通知チャネルの電圧レベルが第１レベルから前記第１レベルよりも低い第２レベルに変化した後のデータ送信のための所定のインターバル時間は、前記通知チャネルの電圧レベルが前記第２レベルから前記第１レベルに変化した後のデータ送信のための所定のインターバル時間より短いことを特徴とする請求項１１から１９のいずれか１項に記載のカメラ。
【請求項２１】
カメラに対して装着可能であり、前記カメラとの間で行う、データ通信に用いられるデータ通信チャネルと前記データ通信チャネルを介して行う通信のタイミングを通知する通知チャネルとを含むチャネルを用いた通信を制御するアクセサリであって、通信相手の指定を伴わずに行われる通信のために用いられる第１通信方式と、前記カメラと指定された通信相手との間で行われる通信のために用いられる第２通信方式と、に切り替え可能であり、前記カメラからデータを受信している間の前記通知チャネルの電圧レベルは、前記第１通信方式と前記第２通信方式では異なるアクセサリのコンピュータに、
前記通知チャネルの電圧レベルが最後に変化してから所定のインターバル時間が経過したかどうかを判定するステップと、
前記所定のインターバル時間が経過した後に、前記データ通信チャネルを介して前記カメラにデータを送信するステップと、を実行させることを特徴とする通信制御プログラム。
【請求項２２】
カメラに対して装着可能であり、前記カメラとの間で行う、データ通信に用いられるデータ通信チャネルと前記データ通信チャネルを介して行う通信のタイミングを通知する通知チャネルとを含むチャネルを用いた通信を制御するアクセサリであって、通信相手の指定を伴わずに行われる通信のために用いられる第１通信方式と、前記カメラと指定された通信相手との間で行われる通信のために用いられる第２通信方式と、に切り替え可能であり、前記カメラからデータを受信している間の前記通知チャネルの電圧レベルは、前記第１通信方式と前記第２通信方式では異なるアクセサリのコンピュータに、
前記第２通信方式において、前記データ通信チャネルにデータの送信が完了してから所定のインターバル時間が経過したかどうかを判定するステップと、
前記所定のインターバル時間が経過した後に前記通知チャネルの電圧を、前記第２通信方式時にデータを受信している間の電圧レベルから前記第１通信方式時にデータを受信している間の電圧レベルに変化させるステップと、を実行させることを特徴とする通信制御プログラム。
【請求項２３】
アクセサリが装着可能であり、前記アクセサリとの間で行う、データ通信に用いられるデータ通信チャネルと前記データ通信チャネルを介して行う通信のタイミングを通知する通知チャネルとを含むチャネルを用いた通信を制御するカメラであって、通信相手の指定を伴わずに行われる通信のために用いられる第１通信方式と、前記カメラと指定された通信相手との間で行われる通信のために用いられる第２通信方式と、に切り替え可能であり、前記アクセサリが前記カメラからデータを受信している間の前記通知チャネルの電圧レベルは、前記第１通信方式と前記第２通信方式では異なるカメラのコンピュータに、
前記通知チャネルの電圧レベルが最後に変化してから所定のインターバル時間が経過したかどうかを判定するステップと、
前記所定のインターバル時間が経過した後にデータを送信するステップと、を実行させることを特徴とする通信制御プログラム。
【請求項２４】
アクセサリが装着可能であり、前記アクセサリとの間で行う、データ通信に用いられるデータ通信チャネルと前記データ通信チャネルを介して行う通信のタイミングを通知する通知チャネルとを含むチャネルを用いた通信を制御するカメラであって、通信相手の指定を伴わずに行われる通信のために用いられる第１通信方式と、前記カメラと指定された通信相手との間で行われる通信のために用いられる第２通信方式と、に切り替え可能であり、前記アクセサリが前記カメラからデータを受信している間の前記通知チャネルの電圧レベルは、前記第１通信方式と前記第２通信方式では異なるカメラのコンピュータに、
前記第２通信方式において、前記データ通信チャネルにデータの送信が完了してから所定のインターバル時間が経過したかどうかを判定するステップと、
前記所定のインターバル時間が経過した後に通知チャネルの電圧レベルを、前記第２通信方式時にデータを受信している間の電圧レベルから前記第１通信方式時にデータを受信している間の電圧レベルに変化させるステップと、を実行させることを特徴とする通信制御プログラム。
【手続補正２】
【補正対象書類名】明細書
【補正対象項目名】００１３
【補正方法】変更
【補正の内容】
【００１３】
本発明の一側面としてのアクセサリは、カメラに対して装着可能なアクセサリであって、カメラとの間で行う、データ通信に用いられるデータ通信チャネルとデータ通信チャネルを介して行う通信のタイミングを通知する通知チャネルとを含むチャネルを用いた通信を制御するアクセサリ制御部を有し、アクセサリ制御部は、通信相手の指定を伴わずに行われる通信のために用いられる第１通信方式と、カメラと指定された通信相手との間で行われる通信のために用いられる第２通信方式と、に切り替え可能であり、カメラからデータを受信している間の通知チャネルの電圧レベルは、第１通信方式と第２通信方式では異なり、通知チャネルの電圧レベルが最後に変化してから所定のインターバル時間が経過した後に、データ通信チャネルを介してカメラにデータを送信することを特徴とする。
【手続補正３】
【補正対象書類名】明細書
【補正対象項目名】００１４
【補正方法】変更
【補正の内容】
【００１４】
本発明の他の側面としてのアクセサリは、カメラに対して装着可能なアクセサリであって、カメラとの間で行う、データ通信に用いられるデータ通信チャネルとデータ通信チャネルを介して行う通信のタイミングを通知する通知チャネルとを含むチャネルを用いた通信を制御するアクセサリ制御部を有し、アクセサリ制御部は、通信相手の指定を伴わずに行われる通信のために用いられる第１通信方式と、カメラと指定された通信相手との間で行われる通信のために用いられる第２通信方式と、に切り替え可能であり、カメラからデータを受信している間の通知チャネルの電圧レベルは、第１通信方式と第２通信方式では異なり、第２通信方式において、データ通信チャネルにデータの送信が完了した後、所定のインターバル時間が経過した後に通知チャネルの電圧を、第２通信方式時にデータを受信している間の電圧レベルから第１通信方式時にデータを受信している間の電圧レベルに変化させることを特徴とする。
【手続補正４】
【補正対象書類名】明細書
【補正対象項目名】００１５
【補正方法】変更
【補正の内容】
【００１５】
本発明の他の側面としてのカメラは、アクセサリが装着可能なカメラであって、アクセサリとの間で行う、データ通信に用いられるデータ通信チャネルとデータ通信チャネルを介して行う通信のタイミングを通知する通知チャネルとを含むチャネルを用いた通信を制御するカメラ制御部を有し、カメラ制御部は、通信相手の指定を伴わずに行われる通信のために用いられる第１通信方式と、カメラと指定された通信相手との間で行われる通信のために用いられる第２通信方式と、に切り替え可能であり、アクセサリがカメラからデータを受信している間の通知チャネルの電圧レベルは、第１通信方式と第２通信方式では異なり、通知チャネルの電圧レベルが最後に変化してから所定のインターバル時間が経過した後にデータを送信することを特徴とする。
【手続補正５】
【補正対象書類名】明細書
【補正対象項目名】００１６
【補正方法】変更
【補正の内容】
【００１６】
本発明の他の側面としてのカメラは、アクセサリとの間で行う、データ通信に用いられるデータ通信チャネルとデータ通信チャネルを介して行う通信のタイミングを通知する通知チャネルとを含むチャネルを用いた通信を制御するカメラ制御部を有し、カメラ制御部は、通信相手の指定を伴わずに行われる通信のために用いられる第１通信方式と、カメラと指定された通信相手との間で行われる通信のために用いられる第２通信方式と、に切り替え可能であり、アクセサリがカメラからデータを受信している間の通知チャネルの電圧レベルは、第１通信方式と第２通信方式では異なり、第２通信方式において、データ通信チャネルにデータの送信が完了した後、所定のインターバル時間が経過した後に通知チャネルの電圧レベルを、第２通信方式時にデータを受信している間の電圧レベルから第１通信方式時にデータを受信している間の電圧レベルに変化させることを特徴とする。
【手続補正６】
【補正対象書類名】明細書
【補正対象項目名】００１７
【補正方法】変更
【補正の内容】
【００１７】
本発明の他の側面としての通信制御プログラムは、カメラに対して装着可能であり、カメラとの間で行う、データ通信に用いられるデータ通信チャネルとデータ通信チャネルを介して行う通信のタイミングを通知する通知チャネルとを含むチャネルを用いた通信を制御するアクセサリであって、通信相手の指定を伴わずに行われる通信のために用いられる第１通信方式と、カメラと指定された通信相手との間で行われる通信のために用いられる第２通信方式と、に切り替え可能であり、カメラからデータを受信している間の通知チャネルの電圧レベルは、第１通信方式と第２通信方式では異なるアクセサリのコンピュータに、通知チャネルの電圧レベルが最後に変化してから所定のインターバル時間が経過したかどうかを判定するステップと、所定のインターバル時間が経過した後に、データ通信チャネルを介してカメラにデータを送信するステップと、を実行させることを特徴とする。
【手続補正７】
【補正対象書類名】明細書
【補正対象項目名】００１８
【補正方法】変更
【補正の内容】
【００１８】
本発明の他の側面としての通信制御プログラムは、カメラに対して装着可能であり、カメラとの間で行う、データ通信に用いられるデータ通信チャネルとデータ通信チャネルを介して行う通信のタイミングを通知する通知チャネルとを含むチャネルを用いた通信を制御するアクセサリであって、通信相手の指定を伴わずに行われる通信のために用いられる第１通信方式と、カメラと指定された通信相手との間で行われる通信のために用いられる第２通信方式と、に切り替え可能であり、カメラからデータを受信している間の通知チャネルの電圧レベルは、第１通信方式と第２通信方式では異なるアクセサリのコンピュータに、第２通信方式において、データ通信チャネルにデータの送信が完了してから所定のインターバル時間が経過したかどうかを判定するステップと、所定のインターバル時間が経過した後に通知チャネルの電圧を、第２通信方式時にデータを受信している間の電圧レベルから第１通信方式時にデータを受信している間の電圧レベルに変化させるステップと、を実行させることを特徴とする。
【手続補正８】
【補正対象書類名】明細書
【補正対象項目名】００１９
【補正方法】変更
【補正の内容】
【００１９】
本発明の他の側面としての通信制御プログラムは、アクセサリが装着可能であり、アクセサリとの間で行う、データ通信に用いられるデータ通信チャネルとデータ通信チャネルを介して行う通信のタイミングを通知する通知チャネルとを含むチャネルを用いた通信を制御するカメラであって、通信相手の指定を伴わずに行われる通信のために用いられる第１通信方式と、カメラと指定された通信相手との間で行われる通信のために用いられる第２通信方式と、に切り替え可能であり、アクセサリがカメラからデータを受信している間の通知チャネルの電圧レベルは、第１通信方式と第２通信方式では異なるカメラのコンピュータに、通知チャネルの電圧レベルが最後に変化してから所定のインターバル時間が経過したかどうかを判定するステップと、所定のインターバル時間が経過した後にデータを送信するステップと、を実行させることを特徴とする。
【手続補正９】
【補正対象書類名】明細書
【補正対象項目名】００２０
【補正方法】変更
【補正の内容】
【００２０】
本発明の他の側面としての通信制御プログラムは、アクセサリが装着可能であり、アクセサリとの間で行う、データ通信に用いられるデータ通信チャネルとデータ通信チャネルを介して行う通信のタイミングを通知する通知チャネルとを含むチャネルを用いた通信を制御するカメラであって、通信相手の指定を伴わずに行われる通信のために用いられる第１通信方式と、カメラと指定された通信相手との間で行われる通信のために用いられる第２通信方式と、に切り替え可能であり、アクセサリがカメラからデータを受信している間の通知チャネルの電圧レベルは、第１通信方式と第２通信方式では異なるカメラのコンピュータに、第２通信方式において、データ通信チャネルにデータの送信が完了してから所定のインターバル時間が経過したかどうかを判定するステップと、所定のインターバル時間が経過した後に通知チャネルの電圧レベルを、第２通信方式時にデータを受信している間の電圧レベルから第１通信方式時にデータを受信している間の電圧レベルに変化させるステップと、を実行させることを特徴とする。